(57)【要約】【課題】  携帯情報機器において、自動スクロールの態様についての利便性を向上させる。【解決手段】  ユーザから、メインディスプレイに表示された画像を自動的にスクロールさせるための情報が入力されると、メインディスプレイに表示される画像としてドキュメント２００から切り出される部分は、部分２０１Ａ、部分２０１Ｂ、部分２０１Ｃというように、右方向に移動する。なお、切り出される部分は、部分２０１Ｃのようにドキュメント２００の右端まで移動すると、再度、部分２０１Ａのように左端まで戻される。また、さらに、上方向に表示を移動させるための操作がなされると、メインディスプレイに表示される画像としてドキュメント２００から切り出される部分は、右方向に移動しつつ、上方向にも移動する。【選択図】        図５
2005266589.tif 000002
【特許請求の範囲】
【請求項１】
画像を表示し、前記画像のサイズよりもサイズの小さい表示領域を含む表示手段と、
前記表示手段における情報の表示態様を変更するために操作される第１の操作手段および第２の操作手段と、
前記表示手段における表示内容を制御する表示制御手段とを備え、
前記表示制御手段は、
前記画像の一部の領域を前記表示手段の前記表示領域に表示させ、
前記第１の操作手段が操作された場合には、前記画像の中で、前記表示手段の前記表示領域に表示させるための領域を第１の方向に継続的に移動させるスクロール制御を実行し、
前記スクロール制御を実行している場合、前記第２の操作手段が操作されたことを条件として、前記画像の中で前記表示手段の前記表示領域に表示させる領域を、前記第１の方向の一方側から他方側に移動させるとともに、前記第１の方向と交わる第２の方向に移動させ、前記第１の方向の他方側の端部まで移動させた場合には、前記一方側の端部に移動させる、携帯情報機器。
【請求項２】
前記表示制御手段は、前記スクロール制御を実行している場合、前記第２の操作手段が操作されたとき、前記画像の中で前記表示手段に表示させる領域を、前記第２の方向について、前記画像の中で前記表示手段に表示させる領域の前記第２の方向についての寸法よりも短い距離だけ移動させる、請求項１に記載の携帯情報機器。
【請求項３】
前記第２の方向は、前記第１の方向に対して直交する方向である、請求項１または請求項２に記載の携帯情報機器。
【請求項４】
前記第１の方向は、左右方向と上下方向の一方であり、前記第２の方向は、左右方向と上下方向の他方である、請求項３に記載の携帯情報機器。
【請求項５】
前記画像は、前記第２の方向に並ぶ文字を含み、
前記表示制御手段は、前記スクロール制御を実行している場合、前記第２の操作手段が操作されたとき、前記画像の中で前記表示手段に表示させる領域を、前記第２の方向について、前記画像の中で前記表示手段に表示させる領域の前記第２の方向についての寸法よりも前記画像における所定個数の文字分の距離だけ移動させる、請求項２〜請求項４のいずれかに記載の携帯情報機器。
【請求項６】
画像を表示し、前記画像のサイズよりもサイズの小さい表示領域を有する表示手段と、第１の操作手段と、第２の操作手段とを備える携帯情報機器の制御方法であって、
前記画像の一部の領域を前記表示手段の前記表示領域に表示させるステップと、
前記第１の操作手段が操作された場合に、前記画像の中で、前記表示手段に表示させる領域を第１の方向に継続的に移動させるスクロール制御を実行するステップと、
前記スクロール制御が実行されている場合、前記第２の操作手段が操作されたことを条件として、前記画像の中で前記表示手段の前記表示領域に表示させるために切り出す部分を、前記第１の方向に移動させるとともに、前記第１の方向と交わる第２の方向に移動させるステップとを備える、携帯情報機器の制御方法。
【請求項７】
画像を表示し、前記画像のサイズよりもサイズの小さい表示領域を有する表示手段と、第１の操作手段と、第２の操作手段とを備える携帯情報機器についての制御プログラムであって、コンピュータに、請求項６に記載の携帯情報機器の制御方法が備えるステップを実行させる、制御プログラム。
【発明の詳細な説明】
【技術分野】
【０００１】
本発明は、携帯情報機器、その制御方法、および、その制御プログラムに関し、特に、画面に表示させた情報を自動的にスクロールさせる機能を有する携帯情報機器、その制御方法、および、その制御プログラムに関するものである。
【背景技術】
【０００２】
ＰＤＡ（Personal Digital Assistant）、携帯電話等の携帯情報機器が備える表示装置は、一般のデスクトップ型ＰＣ（Personal Computer）が備える表示装置よりも小さい。その結果、デスクトップ型ＰＣが比較的多くの情報を一度の表示できるのに対し、携帯情報機器は、限られた量の情報しか一度に表示することができないと言える。このため、従来から、携帯情報機器に対して、表示される情報の全体像を容易に認識することができるように構成されるよう要望があった。
【０００３】
このような要望に応じて、従来の携帯情報機器には、特許文献１〜特許文献３に開示されるような、自動スクロール機能を有するものがあった。自動スクロール機能とは、画面の表示を、所定の速度で自動的に一定方向に移動させる機能であり、ユーザに継続して表示を移動させるための操作を行なわせることなく表示の移動を継続させる機能である。なお、特に、特許文献２および特許文献３には、所定の操作部を操作することにより、スクロールの速度を変更できる技術も開示されている。
【特許文献１】特開平１１−２０３０１６号公報
【特許文献２】特開２０００−１８４４２０号公報
【特許文献３】特開２００３−１６２３５６号公報
【発明の開示】
【発明が解決しようとする課題】
【０００４】
しかしながら、従来、上記したようにスクロールの速度の変更については技術が開示されていたが、スクロールについてのその他の技術についてはあまり開示がなされていなかった。
【０００５】
その一方で、携帯情報機器は、上記したように、その備える表示装置が小さい。したがって、携帯情報機器における表示のスクロールの態様は、携帯情報機器の利便性の向上のために、より工夫を凝らされることが切望されている。
【０００６】
本発明は、かかる実情に鑑み考え出されたものであり、その目的は、携帯情報機器において、自動スクロールの態様についての利便性を向上させることである。
【課題を解決するための手段】
【０００７】
本発明に従った携帯情報機器は、画像を表示し、前記画像のサイズよりもサイズの小さい表示領域を含む表示手段と、前記表示手段における情報の表示態様を変更するために操作される第１の操作手段および第２の操作手段と、前記表示手段における表示内容を制御する表示制御手段とを備え、前記表示制御手段は、前記画像の一部の領域を前記表示手段の前記表示領域に表示させ、前記第１の操作手段が操作された場合には、前記画像の中で、前記表示手段の前記表示領域に表示させるための領域を第１の方向に継続的に移動させるスクロール制御を実行し、前記スクロール制御を実行している場合、前記第２の操作手段が操作されたことを条件として、前記画像の中で前記表示手段の前記表示領域に表示させる領域を、前記第１の方向の一方側から他方側に移動させるとともに、前記第１の方向と交わる第２の方向に移動させ、前記第１の方向の他方側の端部まで移動させた場合には、前記一方側の端部に移動させることを特徴とする。
【０００８】
また、本発明に従った携帯情報機器では、前記表示制御手段は、前記スクロール制御を実行している場合、前記第２の操作手段が操作されたとき、前記画像の中で前記表示手段に表示させる領域を、前記第２の方向について、前記画像の中で前記表示手段に表示させる領域の前記第２の方向についての寸法よりも短い距離だけ移動させることが好ましい。
【０００９】
また、本発明に従った携帯情報機器では、前記第２の方向は、前記第１の方向に対して直交する方向であることが好ましい。
【００１０】
また、本発明に従った携帯情報機器では、前記第１の方向は、左右方向と上下方向の一方であり、前記第２の方向は、左右方向と上下方向の他方であることが好ましい。
【００１１】
また、本発明に従った携帯情報機器では、前記画像は、前記第２の方向に並ぶ文字を含み、前記表示制御手段は、前記スクロール制御を実行している場合、前記第２の操作手段が操作されたとき、前記画像の中で前記表示手段に表示させる領域を、前記第２の方向について、前記画像の中で前記表示手段に表示させる領域の前記第２の方向についての寸法よりも前記画像における所定個数の文字分の距離だけ移動させることが好ましい。
【００１２】
本発明に従った携帯情報機器の制御方法は、画像を表示し、前記画像のサイズよりもサイズの小さい表示領域を有する表示手段と、第１の操作手段と、第２の操作手段とを備える携帯情報機器の制御方法であって、前記画像の一部の領域を前記表示手段の前記表示領域に表示させるステップと、前記第１の操作手段が操作された場合に、前記画像の中で、前記表示手段に表示させる領域を第１の方向に継続的に移動させるスクロール制御を実行するステップと、前記スクロール制御が実行されている場合、前記第２の操作手段が操作されたことを条件として、前記画像の中で前記表示手段の前記表示領域に表示させるために切り出す部分を、前記第１の方向に移動させるとともに、前記第１の方向と交わる第２の方向に移動させるステップとを備えることを特徴とする。
【００１３】
本発明に従った携帯情報機器の制御プログラムは、画像を表示し、前記画像のサイズよりもサイズの小さい表示領域を有する表示手段と、第１の操作手段と、第２の操作手段とを備える携帯情報機器についての制御プログラムであって、コンピュータに、上記した携帯情報機器の制御方法が備えるステップを実行させることを特徴とする。
【発明の効果】
【００１４】
本発明によると、携帯情報機器において、第１の操作手段が操作されると、表示手段の表示領域における表示が第１の方向について継続的に移動するスクロール制御が実行される。なお、スクロール制御では、表示手段の表示領域における表示は、第２の操作手段が操作されるまでは第１の方向についてのみ移動され、第２の操作手段が操作されたことを条件として、第２の方向にも移動される。
【００１５】
これにより、スクロール制御において、第１の方向についての移動は自動的に行なわれ、第２の方向についての移動はユーザの意思に基づいたものとできる。つまり、ユーザは、画像の中の第２の方向についてのある位置において、表示手段において第１の方向について自動的にスクロールさせて表示させておき、当該第２の方向についてのある位置の情報を見終わった後に、第２の操作手段を操作して、表示手段に表示させる位置を第２の方向について移動させることができる。
【００１６】
したがって、携帯情報機器において、自動スクロールが、その一部を自動的に制御されつつ他の一部をユーザの意思を反映したものとされるため、自動スクロールの形態についての利便性を向上させることができる。
【００１７】
また、本発明によると、スクロール制御において、画像の中の、第１の方向について一方側から他方側まで表示が移動されると、再度、一方側から表示の移動が開始される。
【００１８】
これにより、第１の方向について、ユーザは一部を見逃しても、再度、当該見逃した部分を自動的に見ることができる。
【００１９】
また、本発明によると、スクロール制御において、画像の中の、表示手段で表示される部分が第２の方向について移動する場合、第２の方向について重なりを持って、移動することになる。
【００２０】
これにより、ユーザは、画像の中の、表示手段で表示される部分が第２の方向について移動しても、移動する前の表示内容と関連付けて、表示内容を確認することができる。
【００２１】
また、本発明によると、たとえば第１の方向を左右方向とし、第２の方向を左右方向に直行する方向（上下方向）にすることにより、横書き文書を行単位で上下移動できるために文書の一覧性が増すとともに、行の途中（文字が途切れた状態）でスクロールされることなく、視認性が向上する。また、本発明では、文書が縦書き文書の場合等には、第１の方向を上下方向とし、第２の方向を左右方向とすることでも同様の作用効果を奏することができる。
【００２２】
また、本発明によると、上記の第２の方向についての重なりは、画像に含まれる所定個数の文字分とされる。
【００２３】
これにより、ユーザは、画像の中の、表示手段で表示される部分が第２の方向について移動した場合、より容易に、移動する前の表示内容と関連付けることができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
図１および図２を参照して、本発明の携帯情報機器の一実施の形態である携帯電話機１００について説明する。携帯電話機１００は、折畳式である。そして、図１は、携帯電話機１００の筐体を開いた状態での正面側の斜視図であり、図２は、当該筐体を開いた状態での背面側の斜視図である。
【００２６】
図１に示すように、携帯電話機１００は、第１の筐体１０４と、第２の筐体１０６と、スピーカ１７４と、メインディスプレイ１５０と、サブカメラ１４２と、メイン操作部１２０と、マイク１７２とを含む。第１の筐体１０４と第２の筐体１０６とは、接続部１０５で折畳み可能に接続されている。メイン操作部１２０は、機能キー１２２Ａ，１２２Ｂ等の複数のキーを含む複数のキーを含む機能キー群１２２と、数字等の入力のためのテンキーを含む１２キー１２４とを備える。機能キー群１２２は、メインディスプレイ１５０上の表示の少なくとも一部（表示全体、または、メインディスプレイ１５０上に表示されたカーソル等）を上下左右それぞれに所定の距離だけ移動させるための上キー１２１Ａ，下キー１２１Ｂ，左キー１２１Ｃ，右キー１２１Ｄを含む。
【００２７】
図２に示すように、携帯電話機１００は、第１の筐体１０４に、サブディスプレイ１６０と、サブ操作部１３０と、メインカメラ１４０と、ＬＥＤ（Light Emitting Diode）１７６とを含む。また、携帯電話機１００は、第２の筐体１０６にアンテナ１０８を有する。サブ操作部１３０は、サブディスプレイ１６０に表示されるカーソルの移動キー１３０Ａ，１３０Ｃと、決定キー１３０Ｂとを含む。
【００２８】
なお、本実施の形態の携帯電話機１００では、サブカメラ１４２がメインディスプレイ１５０近傍に設けられ、後述するメインカメラ１４０が第１の筐体１０４の外面側（メインディスプレイ１５０を設けられた面の裏側面）に設けられているが、本発明に従った携帯情報機器は、このような構成に限定されるものではなく、サブカメラ１４２とメインカメラ１４０の設置位置や搭載の有無は、任意である。
【００２９】
図３は、携帯電話機１００の機能ブロック図である。
【００３０】
図３を参照して、携帯電話機１００は、図１および図２を用いて説明した構成要素以外に、表示処理部１１１、レイアウト解析部１１２、スクロール処理部１１３、拡大縮小処理部１１４、ワークメモリ１１５、ＶＲＡＭ（Video Random Access Memory）１１６、ドキュメント記憶部１１７、プログラム記憶部１１８、通話処理部１７５、および、通信処理部１７０を含む。
【００３１】
通話処理部１７５、通信処理部１７０、および、アンテナ１０８は、携帯電話機１００の音声通話のために動作する部位である。具体的には、携帯電話機１００において、通話相手との間で接続が確立され音声による通話がなされる際、通話処理部１７５は、マイク１７２を介して入力された音声を音声信号に変換し、当該音声信号を、通信処理部１７０およびアンテナ１０８を介して通話相手に送る。また、通話相手から送られてきた音声信号は、アンテナ１０８および通信処理部１７０を介して通話処理部１７５に送られ、当該通話処理部１７５において音声に変換され、スピーカ１７４から出力される。
【００３２】
また、携帯電話機１００では、ドキュメント記憶部１１７に、メインディスプレイ１５０および／またはサブディスプレイ１６０に表示可能なドキュメントのデータが記憶されている。表示されるべきドキュメントは、入力部１１０から入力された情報に基づいて指定される。入力部１１０とは、携帯電話機１００においてユーザが情報を入力されるための部位であり、具体的には、メイン操作部１２０およびサブ操作部１３０を含む。ドキュメントが指定されると、表示処理部１１１は、当該指定されたドキュメントのデータをドキュメント記憶部１１７から呼び出し、レイアウト解析部１１２に当該ドキュメントのレイアウトを解析し、ワークメモリ１１５上に当該ドキュメントのデータを展開させ、ＶＲＡＭ１１６に展開したデータを送って、メインディスプレイ１５０および／またはサブディスプレイ１６０に表示させる。
【００３３】
拡大縮小処理部１１４は、入力部１１０からの指示に基づいて、メインディスプレイ１５０および／またはサブディスプレイ１６０に表示された画像を拡大または縮小させるための処理を行なう。プログラム記憶部１１８は、携帯電話機１００において実行されるべきプログラムを記憶する。スクロール処理部１１３は、入力部１１０からの指示に基づいて、メインディスプレイ１５０および／またはサブディスプレイ１６０に表示された画像を、自動的にスクロールさせるための処理を行なう。ここで、本実施の形態におけるこの処理の具体例として、メインディスプレイ１５０の大きさを図４（Ａ）に示される程度のものとし、当該メインディスプレイ１５０に、図４（Ｂ）に示す大きさのドキュメントを表示させる場合の処理について説明する。
【００３４】
図４（Ｂ）に示されるようなドキュメントがメインディスプレイ１５０に表示される場合、まず、そのようなドキュメントがワークメモリ１１５に展開され、そして、図５（Ａ）に示されるように、展開されたドキュメント２００全体から、破線で示されたメインディスプレイ１５０に対応する部分２０１Ａが切り出されて、ＶＲＡＭ１１６に記憶されて、メインディスプレイ１５０で表示される。そして、画像が自動的にスクロールされるには、図５（Ｂ）および図５（Ｃ）に示されるように、ドキュメント２００全体から切り出される部分のドキュメント２００における位置が、部分２０１Ａから、図５（Ａ）中に示される矢印のように部分２０１Ｂへと移動し、さらに、図５（Ｂ）中の矢印のように部分２０１Ｃとへと移動する。これにより、メインディスプレイ１５０上で表示される画像が左から右へとスクロールする。なお、ドキュメント２００全体からの、切り出される位置は、表示処理部１１１により、ドキュメント２００上での、切り出される位置の左上の座標を指定されることにより、指定される。そして、切り出される位置の移動は、スクロール処理部１１３によって、上記の左上の座標が一定時間に一定の値だけ変化されることにより、達成される。
【００３５】
また、携帯電話機１００は、入力部１１０に対して適切な操作がなされることにより、メインディスプレイ１５０およびサブディスプレイ１６０の表示の縦横を入替えることができる。縦横の入替えは、たとえば、メインディスプレイ１５０上に展開されたドキュメント２００全体から切り出される部分を変更されることにより達成される。具体的には、図５（Ａ）に示された状態から、表示の縦横を入替えるための操作がなされると、図６（Ａ）に示されるように、ドキュメント２００全体に対する、メインディスプレイ１５０に表示するために切り出される部分が、部分２０２Ａへと変更される。なお、図５（Ａ）では、部分２０１Ａは、長辺が垂直方向であり短辺が水平方向であるのに対し、図６（Ａ）では、部分２０２Ｂは、長辺が水平方向であり短辺が垂直方向となっている。ここで言う長辺・短辺は、メインディスプレイ１５０の長辺・短辺に対応している。つまり、図５（Ａ）に示された状態に対して、図６（Ａ）に示された状態では、メインディスプレイ１５０上で表示された画像が、９０°だけ回転したものとなる。
【００３６】
さらに、９０°回転された状態でも、図６（Ａ）中の部分２０２Ａが、図６（Ａ）中の矢印に従って図６（Ｂ）中の部分２０２Ｂへと移動され、さらに、図６（Ｂ）中の矢印に従って図６（Ｃ）中の部分２０２Ｃへと移動されることにより、つまり、ドキュメント２００全体に対する切り出される部分の位置が順に移動されることにより、自動的な表示のスクロールが可能とされる。
【００３７】
また、携帯電話機１００において、表示の拡大または縮小のための操作がなされた場合には、たとえば、ワークメモリ１１５上に展開される画像に対して、拡大または縮小がなされる。これにより、自動的にスクロールを行なっている状態で、表示の拡大または縮小のための操作がなされた場合、まず、ワークメモリ１１５上に展開されるドキュメント２００全体自体が、ドキュメント記憶部１１７で記憶されている状態から拡大または縮小されたものとされ、そして、そのようなドキュメント２００全体から、図５または図６に示されたように、切り出される部分が移動されるのである。
【００３８】
なお、本実施の形態では、メインディスプレイ１５０に画像が表示される場合、ワークメモリ１１５に、ドキュメントの、メインディスプレイ１５０に表示される領域よりも広い領域に対応する部分（または全体）の画像が展開され、そして、ワークメモリ１１５に展開された画像の中からメインディスプレイ１５０に表示される領域に対応する画像が切り出されてＶＲＡＭ１１６に記憶されるように記載されているが、本発明に従った携帯情報機器が行なう処理は、このようなものに限定されない。つまり、結果的にワークメモリ１１５上に展開されるドキュメント２００全体の少なくとも一部がメインディスプレイ１５０（表示手段の表示領域）に表示されれば良く、メインディスプレイ１５０に表示される領域のデータのみがワークメモリ１１５およびＶＲＡＭ１１６上に展開されるような処理によって、メインディスプレイ１５０における表示がなされても良い。
【００３９】
次に、携帯電話機１００における、メインディスプレイ１５０に、ドキュメント記憶部１１７に記憶されているドキュメントを表示させる際に実行される処理を説明する。図７および図８は、当該処理のフローチャートである。
【００４０】
携帯電話機１００では、ドキュメントをメインディスプレイ１５０に表示させるための操作がなされると、まず、ステップＳ１（以下、「ステップ」を省略する）で、ユーザから、表示するべきドキュメントを指定するための入力を待つ状態となる。そして、Ｓ２で、ドキュメントを指定される情報の入力されたと判断すると、Ｓ３に処理が進められる。
【００４１】
Ｓ３では、表示処理部１１１によって、指定されたドキュメントのデータがドキュメント記憶部１１７から呼び出されて、レイアウト解析１１２でレイアウト解析をされ、そして、ワークメモリ１１５に当該ドキュメントのデータに対応する画像が展開され、展開された画像からメインディスプレイ１５０に表示される分の画像がＶＲＡＭに送られて、メインディスプレイ１５０で表示される。
【００４２】
次に、Ｓ４で、携帯電話機１００は、ユーザからの情報の入力を待つ状態となる。そして、何らか入力があったと判断すると、Ｓ５に処理が進められる。
【００４３】
Ｓ５では、表示処理部１１１によって、入力された情報が、表示された画像を拡大または縮小するための情報であるか否かが判断され、そうであると判断されればＳ６へ、そうではないと判断されればＳ７へ、それぞれ処理が進められる。
【００４４】
Ｓ７では、表示処理部１１１によって、入力された情報が、表示された画像を自動的にスクロールさせるための情報であるか否かが判断され、そうであると判断されればＳ１１へ、そうではないと判断されればＳ８へ、それぞれ処理が進められる。
【００４５】
Ｓ８では、表示処理部１１１によって、入力された情報が、表示された画像を９０°回転させるための情報であるか否かが判断され、そうであると判断されればＳ９へ、そうではないと判断されればＳ１０へ、それぞれ処理が進められる。
【００４６】
Ｓ１０では、表示処理部１１１によって、入力された情報が、ドキュメントの表示を終了するための情報であるか否かが判断され、そうであると判断されれば表示処理部１１１によってメインディスプレイ１５０における表示をドキュメントの表示から待ち受け画面の表示に変更された後ドキュメントを表示させる処理が終了され、そうではないと判断されればＳ４に戻される。
【００４７】
Ｓ６では、表示処理部１１１によって、拡大縮小処理部１１４に、メインディスプレイ１５０に表示させる画像を入力された情報に従って拡大または縮小させる処理を行なって、Ｓ４に処理が戻される。なお、画像の拡大・縮小は、たとえば、ドキュメント記憶部１１７から呼び出されたデータを、拡大縮小処理部１１４によって拡大・縮小させた後、ワークメモリ１１５に展開させて、展開された画像の中から、メインディスプレイ１５０に対応する部分の画像を切り出すことにより、行なわれる。
【００４８】
Ｓ９では、表示処理部１１１によって、メインディスプレイ１５０に表示させる画像を、９０°回転させる処理が行なわれて、Ｓ４に処理が戻される。なお、表示させる画像の９０°回転とは、ワークメモリ１１５に展開された画像の中から、画像を切り出す範囲が、図５（Ａ）の２０１Ａから図６（Ａ）の２０２Ａへ、または、その逆のように、変更されることにより、行なわれる。
【００４９】
Ｓ１１では、表示処理部１１１が、スクロール処理部１１３に、メインディスプレイ１５０に表示される画像を自動的にスクロールさせて、Ｓ１２に処理が進められる。
【００５０】
Ｓ１２では、スクロール処理部１１３によって、スクロールの結果、ドキュメント全体の中で、切り出される部分がドキュメントの右端まで移動してきたか否かが判断される。ここでは、スクロール処理部１１３が、メインディスプレイ１５０に表示させるために切り出した画像の座標の値を判断する。これにより、具体的には、たとえば、切り出される部分が図５（Ｃ）に部分２０１Ｃとして示されたように、ドキュメント２００全体の右単まで移動したか、または、図５（Ｂ）に部分２０１Ｂとして示されるように、まだそこまで移動していないかが判断される。そして、まだ右端まで移動していないと判断されれば、Ｓ１４に処理が進められる。一方、右端まで移動したと判断されると、Ｓ１３で、切り出す部分を、たとえば図５（Ａ）に部分２０１Ａとして示されるように、ドキュメント全体の左端に戻して、Ｓ１１に処理が戻される。
【００５１】
Ｓ１４では、表示処理部１１１によって、入力部１１０に対して、自動的なスクロールを停止させるための情報が入力されたか否かが判断される。そして、そのような情報が入力されたと判断されると、Ｓ１８で、スクロールを停止させ、その時点で切り出されている部分を静止してメインディスプレイ１５０に表示させて、処理がＳ４に戻される。一方、そのような情報が入力されていないと判断されると、Ｓ１９に処理が進められる。
【００５２】
Ｓ１９では、表示処理部１１１によって、入力部１１０の中の方向キー（上キー１２１Ａ、下キー１２１Ｂ、左キー１２１Ｃ、および、右キー１２１Ｄ）の中のいずれかに対して操作がなされたか否かが判断される。そして、方向キーの中のいずれかに対して操作がなされたと判断されるとＳ２０に処理が進められ、そうではないと判断されるとＳ１１に処理が戻される。
【００５３】
Ｓ２０では、表示処理部１１１は、Ｓ１９において操作されたと判断したキーが、方向キーの中で、メインディスプレイ１５０における表示を上方に移動させるための方向キーであるか否かを判断し、そのような方向キーであると判断すると、Ｓ２１に処理を進め、そうではないと判断すると、Ｓ２２に処理を進める。さらに、表示処理部１１１は、Ｓ２２で、Ｓ１９において操作されたと判断したキーが、方向キーの中で、メインディスプレイ１５０における表示を下方に移動させるための方向キーであるか否かを判断し、そのような方向キーであると判断すると、Ｓ２３へ処理を進め、そうではないと判断すると、Ｓ１１に処理を戻す。
【００５４】
ここで、メインディスプレイ１５０における表示を上方に移動させるための方向キーおよび下方に移動させるための方向キーについて説明する。なお、これらの方向キーは、携帯電話機１００において自動的に表示がスクロールされる方向によって変化する。そこで、まず、携帯電話機１００におけるスクロール方向について説明する。
【００５５】
図９は、携帯電話機１００において自動的に表示がスクロールされる方向を説明するために、当該携帯電話機１００の正面側を示す図である。なお、図９では、携帯電話機１００として、ストレートタイプの携帯電話機を採用し、説明に用いている。
【００５６】
基本的に、携帯電話機１００では、図９（Ａ）に示されるように、メインディスプレイ１５０をメイン操作部１２０に対して上側に位置させたときに、矢印１５１として示されるように左から右への方向がスクロール方向とされ、そして、垂直方向がドキュメントの上下方向とされる。このような場合、表示処理部１１１は、上キー１２１Ａを、メインディスプレイ１５０における表示を上方に移動させるための方向キーとして認識し、下キー１２１Ｂを、メインディスプレイ１５０における表示を下方に移動させるための方向キーとして認識する。
【００５７】
なお、携帯電話機１００では、メインディスプレイ１５０においてドキュメントが表示される方向を、図９（Ｂ）に示されるように、図９（Ａ）に示されたものから９０°回転させることができる。図９（Ｂ）では、メインディスプレイ１５０をメイン操作部１２０に対して左側に位置させたときに、矢印１５２として示されるように左から右への方向がスクロール方向とされ、そして、垂直方向がドキュメントの上下方向とされる。また、このような場合、表示処理部１１１は、右キー１２１Ｄを、メインディスプレイ１５０における表示を上方に移動させるための方向キーとして認識し、左キー１２１Ｃを、メインディスプレイ１５０における表示を下方に移動させるための方向キーとして認識する。
【００５８】
図９に示されたように、本実施の形態では、メインディスプレイ１５０における画像のスクロール方向である左右方向が、表示手段の表示領域に表示させるための領域が移動される方向、つまり、第１の方向である。また、本実施の形態では、上下方向が、第１の方向に交わる方向でありかつ第２の操作手段を操作されることによりメインディスプレイ１５０内の表示が移動される方向である第２の方向である。
【００５９】
そして、メインディスプレイ１５０におけるドキュメント表示態様について、図９（Ａ）に示されたような状態を「縦表示」、図９（Ｂ）に示されたような状態を「横表示」とすると、表示処理部１１１が、メインディスプレイ１５０における表示を上方に移動させるための方向キーおよび下方に移動させるための方向キーとして認識するキーは、表１のようにまとめられる。なお、表１に示されるような内容は、プログラム記憶部１１８に記憶されている。
【００６０】
【表１】
2005266589.tif 000003
【００６１】
つまり、本実施の形態では、図９（Ａ）に示されるような縦表示の場合には、上キー１２１Ａおよび下キー１２１Ｂによって第２の操作手段が構成され、図９（Ｂ）に示されるような横表示の場合には、右キー１２１Ｄおよび左キー１２１Ｃによって第２の操作手段が構成されている。
【００６２】
再度、図８を参照して、表示を上方に移動させるための方向キーが操作されたと判断された場合、Ｓ２１で、表示処理部１１１によって、ワークメモリ１１５に展開されたドキュメント２００全体の中からメインディスプレイ１５０に表示させるために切り出される部分の位置を上方に移動されて、Ｓ１１に処理が戻される。また、表示を下方に移動させるための方向キーが操作されたと判断された場合、Ｓ２３で、表示処理部１１１によって、ワークメモリ１１５に展開されたドキュメント２００全体の中からメインディスプレイ１５０に表示させるために切り出される部分の位置を下方に移動されて、Ｓ１１に処理が戻される。
【００６３】
ここで、ワークメモリ１１５に展開されたドキュメント２００全体の中からメインディスプレイ１５０に表示させるために切り出される部分の位置が、上方または下方に移動されることについて説明する。
【００６４】
まず、メインディスプレイ１５０において、表示が、継続的に左右方向にスクロールされる際、スクロール処理部１１３は、メインディスプレイ１５０に表示するためにワークメモリ１１５上に展開された画像の中から切り出される画像の位置を、当該位置の左上の座標を一定時間に一定の値だけ右方向に変化させることにより、移動させる。そして、さらに、ワークメモリ１１５上に展開された画像の中から、切り出される画像の部分を上方に移動させるには、スクロール処理部１１３は、表示処理部１１１の指令に基づいて、ワークメモリ１１５上に展開された画像の中から切り出される画像の位置を、当該位置の左上の座標を所定の値だけ上方に移動させることにより、移動させる。この点に関し、図１０を参照して、さらに具体的に説明する。
【００６５】
まず、ある時点で、図１０（Ａ）に示されるように、ワークメモリ１１５上に、画像として、ドキュメント２００が展開され、当該ドキュメント２００の中から、メインディスプレイ１５０に表示される画像として、部分２０３Ａが切り出されていたとする。図１０（Ａ）中の矢印２１１は、自動的なスクロールの方向である。そして、この状態で、自動的なスクロールがなされ、さらに、メインディスプレイ１５０における表示を上方に移動させるための方向キーが操作された場合、次の状態では、ドキュメント２００の中から、図１０（Ｂ）の部分２０３Ｂとして示される部分が、メインディスプレイ１５０に表示される画像として切り出される。図１０（Ｂ）には、参考として、図１０（Ａ）中の部分２０３Ａも記載されている。
【００６６】
ここで、部分２０３Ａと部分２０３Ｂの間での、左上の座標の変化について説明する。なお、図１０（Ａ）には、座標の変化を説明するための座標軸（横軸がＸ座標、縦軸がＹ座標）が記載され、また、ＹＡは切り取られる部分（部分２０３Ａおよび部分２０３Ｂ）のＹ方向の寸法を示し、ＰＡ（Ｘ１，Ｙ１）は部分２０３Ａの座標を示し、ＰＢ（Ｘ２，Ｙ２）は部分２０３Ｂの座標を示し、ＹＢは部分２０３Ａと部分２０３ＢのＹ方向の重なり部分の寸法を示し、そして、ＸＡは部分２０３Ａと部分２０３のＸ方向のずれの寸法を示している。
【００６７】
ドキュメント２００から切り出される部分が部分２０３Ａから部分２０３Ｂに移動されると、移動される部分の座標は、ＰＡ（Ｘ１，Ｙ１）からＰＢ（Ｘ２，Ｙ２）に移動する。この場合、Ｘ方向の移動量は、ＸＡ＝Ｘ２−Ｘ１と表すことができる。ＸＡは、矢印２１１で示される、自動的なスクロールによる移動量である。一方、Ｙ方向の移動量は、Ｙ２−Ｙ１と表すことができる。なお、本実施の形態では、Ｙ２−Ｙ１の距離（つまり、つまり、「Ｙ２−Ｙ１」の絶対値であり、「ＹＡ−ＹＢ」）は、ＹＡよりも小さいものとされる。
【００６８】
これにより、メインディスプレイ１５０において、表示が、左右方向に自動的にスクロールされている場合に、当該表示（画像）を上方に移動させるためのキーが操作されると、ドキュメント２００の中でメインディスプレイ１５０に表示される部分は、左右方向にスクロールされつつ、下方向に、（長さＹＢだけ）上下方向に重なりを持ちつつ、移動される。
【００６９】
一方、自動的なスクロールが行なわれている際に、さらに、ワークメモリ１１５上に展開された画像の中から、切り出される画像の部分を下方に移動させるには、スクロール処理部１１３は、表示処理部１１１の指令に基づいて、ワークメモリ１１５上に展開された画像の中から切り出される画像の位置を、当該位置の左上の座標を所定の値だけ下方に移動させることにより、移動させる。この点に関し、図１１を参照して具体的に説明する。
【００７０】
ある時点で、図１１（Ａ）に示されるように、ワークメモリ１１５上に、画像として、ドキュメント２００が展開され、当該ドキュメント２００の中から、メインディスプレイ１５０に表示される画像として、部分２０４Ａが切り出されていたとする。図１１（Ａ）中の矢印２１２は、自動的なスクロールの方向である。そして、この状態で、自動的なスクロールがなされ、さらに、メインディスプレイ１５０における表示を下方に移動させるための方向キーが操作された場合、次の状態では、ドキュメント２００の中から、図１１（Ｂ）の部分２０４Ｂとして示される部分が、メインディスプレイ１５０に表示される画像として切り出される。図１１（Ｂ）には、参考として、図１１（Ａ）中の部分２０４Ａも記載されている。
【００７１】
ここで、部分２０４Ａと部分２０４Ｂの間での、左上の座標の変化について説明する。なお、図１１（Ａ）には、図１０（Ａ）と同様に、座標の変化を説明するための座標軸（横軸がＸ座標、縦軸がＹ座標）が記載され、また、ＱＡ（Ｘ３，Ｙ３）は部分２０４Ａの座標を示し、ＱＢ（Ｘ４，Ｙ４）は部分２０４Ｂの座標を示す。なお、ＹＡ、ＹＢ、および、ＸＡは、図１０と同様の寸法を示している。
【００７２】
ドキュメント２００から切り出される部分が部分２０４Ａから部分２０４Ｂに移動されると、移動される部分の座標は、ＱＡ（Ｘ３，Ｙ３）からＱＢ（Ｘ４，Ｙ４）に移動する。この場合、Ｘ方向の移動量は、ＸＡ＝Ｘ４−Ｘ３と表すことができる。ＸＡは、矢印２１２で示される、自動的なスクロールによる移動量である。一方、Ｙ方向の移動量は、Ｙ４−Ｙ３と表すことができる。なお、本実施の形態では、Ｙ４−Ｙ３の距離（つまり、「Ｙ４−Ｙ３」の絶対値であり、「ＹＡ−ＹＢ」）は、ＹＡよりも小さいものとされる。
【００７３】
これにより、メインディスプレイ１５０において、表示が、左右方向に自動的にスクロールされている場合に、当該表示（画像）を下方に移動させるためのキーが操作されると、ドキュメント２００の中でメインディスプレイ１５０に表示される部分は、左右方向にスクロールされつつ、上方向に、（長さＹＢだけ）上下方向に重なりを持ちつつ、移動される。
【００７４】
次に、図７および図８を用いて説明したドキュメント表示処理において判断の対象とされる、携帯電話機１００に対する具体的な操作内容の一例について、各場合におけるメインディスプレイ１５０の表示を参照しつつ説明する。
【００７５】
携帯電話機１００では、通話等の動作が行なわれていない場合には、図１２に示されるような待ち受け画面が表示されている。
【００７６】
図１２に示された待ち受け画面５００には、所定の画像５０１Ａとともに、機能キー１２２Ｂにアサインされている機能を表示する機能表示欄５０１が表示されている。機能表示欄５０１には、「メニュー」という文字が表示されている。これは、機能キー１２２Ｂに、後述するメニュー画面を表示するための機能がアサインされていることを示している。
【００７７】
図１２に示された状態で、機能キー１２２Ｂが操作されると、図１３の画面５１０として示されるようなメニュー画面が表示される。メニュー画面では、「電卓」から「ドキュメントビューア」までの、複数の動作の名称が縦方向に列挙されている。そして、画面５１０中に表示された動作の名称の中で選択された状態にある名称の上にはカーソル５１１が被されて表示されている。なお、カーソル５１１の表示位置（選択される動作の名称）は、上キー１２１Ａを操作されるごとに上方に表示されている名称に被るように移動し、下キー１２１Ｂを操作されるごとに下方に表示されている名称に被るように移動する。
【００７８】
また、画面５１０には、機能キー１２２Ａにアサインされている「決定」という機能を表示する機能表示欄５１２が表示されている。Ｓ１の処理が開始される条件である、「ドキュメントをメインディスプレイ１５０に表示させるための操作」とは、ユーザによる、待ち受け画面である画面５００が表示されている際の機能キー１２２Ｂに対する操作と、画面５１０が表示されている際に「ドキュメントビューア」という動作の名称に被さるようにカーソル５１１を移動させた状態での機能キー１２２Ａの操作とを意味する。
【００７９】
上記のように「ドキュメントをメインディスプレイ１５０に表示させるための操作」がなされると、Ｓ１として説明したように、携帯電話機１００は「ドキュメントを指定される情報の入力を待つ状態」となる。この状態では、メインディスプレイ１５０には、図１４に示すような画面が表示される。
【００８０】
図１４に示された画面１５３には、「プレゼン資料」から「ソフトデザイン」まで、複数のドキュメントそれぞれのファイル名が縦方向に列挙されている。そして、画面１５３中に表示された複数のファイル名の中で選択されているファイル名の上にはカーソル５０２が被されて表示されている。なお、カーソル５０２が表示される位置は、上キー１２１Ａを操作されるごとに上方に表示されているファイル名に被るように移動し、下キー１２１Ｂを操作されるごとに下方に表示されているファイル名に被るように移動する。
【００８１】
また、画面１５３には、機能キー１２２Ａにアサインされている「決定」という機能を表示する機能表示欄５０４が表示されている。Ｓ２において判断対象とされた、ユーザがドキュメントを指定するための情報の入力することとは、ユーザが表示を希望するファイル名に被さるようにカーソル５０２を移動させた状態で機能キー１２２Ａを操作することである。
【００８２】
図１５は、Ｓ３の処理に基づいた、メインディスプレイ１５０においてドキュメントを表示する画面１５４を示す図である。画面１５４には、ドキュメントのデータに基づいた画像５０６が表示され、さらに、機能キー１２２Ｂにアサインされている機能を表示する機能表示欄５０８が表示されている。なお、機能表示欄５０８には、「サブメニュー」という文字が表示されている。これは、機能キー１２２Ｂに、サブメニュー画面を表示するための機能がアサインされていることを示している。
【００８３】
図１５に示された状態で機能キー１２２Ｂが操作されると、Ｓ９の処理が実行されることにより、メインディスプレイ１５０に、図１６の画面１５７に示されるように、サブメニュー画面５５０が表示される。サブメニュー画面５５０では、「画面縮小」から「ボタン操作一覧」までの複数の機能の名称が縦方向に列挙されている。サブメニュー画面５５０では、さらに、選択されている機能の名称に被さるようにカーソル５１２が表示され、また、機能キー１２２Ａにアサインされている「決定」という機能を表示する機能表示欄５１４が表示されている。カーソル５１２が表示される位置は、上キー１２１Ａを操作されることにより上方に移動され、下キー１２１Ｂを操作されることにより下方に移動される。これにより、ユーザは、サブメニュー画面５５０が表示された場合に、上キー１２１Ａまたは下キー１２１Ｂを適宜操作することにより、所望の機能を選択することができる。
【００８４】
図１６に示されたように、サブメニュー画面５５０内の「画面縮小」という機能の名称にカーソル５１２が被せられた状態で機能キー１２２Ａが操作されると、表示処理部１１１は、Ｓ５で、表示されている画像を縮小するための情報が入力されたと判断し、Ｓ６で、拡大縮小処理部１１４に、メインディスプレイ１５０に表示させる画像を縮小させる。また、サブメニュー画面５５０内の「画面拡大」という機能の名称にカーソル５１２が被せられた状態で機能キー１２２Ａが操作されると、表示処理部１１１は、Ｓ５で、表示されている画像を拡大するための情報が入力されたと判断し、Ｓ６で、拡大縮小処理部１１４に、メインディスプレイ１５０に表示させる画像を拡大させる。
【００８５】
図１７には、サブメニュー画面５５０において、「自動スクロール」という機能の名称にカーソル５１２が被せられている状態が示されている。「自動スクロール」という機能の名称は、上記した「自動的なスクロール」を実行させる機能に対応している。そして、サブメニュー画面５５０内の「自動スクロール」という機能の名称にカーソル５１２が被せられた状態で機能キー１２２Ａが操作されると、表示処理部１１１は、Ｓ７で、表示されている画像を自動的にスクロールさせるための情報が入力されたと判断し、Ｓ１１で、メインディスプレイ１５０に表示される画像を自動的にスクロールさせる。
【００８６】
自動スクロールが実行されている際には、図１８に示されたような画面１５９が表示される。画面１５９では、ドキュメントの画像である画像５１６が表示されている。なお、画像５１６内の表示内容は、矢印５１７として示されるように、左から右へ、継続的にスクロールされている。
【００８７】
画面１５９には、さらに、機能キー１２２Ａにアサインされた「終了」という機能を表示する機能表示欄５１８が表示されている。自動スクロールが実行されている際に、機能キー１２２Ａが操作されると、表示処理部１１１は、Ｓ１７で、自動的にスクロールを停止させるための情報が入力されたと判断し、Ｓ１８で、メインディスプレイ１５０に表示される画像の自動的なスクロールを停止させる。なお、自動スクロールは、ユーザが一定の時間以上携帯電話機１００に対して操作しない状態が継続した場合に、自動的に停止されるように構成されても良い。
【００８８】
以上説明した本実施の形態では、ユーザから、メインディスプレイ１５０に表示された画像を自動的にスクロールさせるための情報が入力されると、図５を用いて説明したように、メインディスプレイ１５０に表示される画像としてドキュメント２００から切り出される部分は、部分２０１Ａ、部分２０１Ｂ、部分２０１Ｃというように、右方向に移動する。なお、切り出される部分は、Ｓ１２（図８参照）において、切り出される部分が部分２０１Ｃのようにドキュメント２００の右端まで移動したと判断されると、Ｓ１３（図８参照）において、部分２０１Ａのように左端まで戻される。また、自動的なスクロールがなされている最中に、さらに、上方向に表示を移動させるための操作がなされると、図１０を用いて説明したように、ドキュメント２００から切り出される部分は、右方向に移動しつつ上方向にも移動し、一方、さらに、下方向に表示を移動させるための操作がなされると、図１１を用いて説明したように、ドキュメント２００から切り出される部分は、右方向に移動しつつ下方向にも移動する。ただし、本実施の形態では、右方向についての自動的なスクロールが行なわれている場合、上方向または下方向の表示を移動させるための操作がなされなければ、メインディスプレイ１５０では、継続して、右方向にのみ、表示がスクロールされる。
【００８９】
なお、以上説明した本実施の形態では、主に、スクロール表示等の表示態様について、メインディスプレイ１５０における表示を説明したが、これに限定されず、サブディスプレイ１６０における表示であっても、本実施の形態に記載の技術を適用することができる。
【００９０】
なお、本実施の形態では、携帯電話機１００として、２つのディスプレイを備える携帯情報機器について説明を行なったが、本発明に従った携帯情報機器は、少なくとも１つのディスプレイ（表示手段）を備えていれば良い。
【００９１】
また、以上説明した本実施の形態では、携帯電話機１００において、ドキュメントの表示を自動的にスクロールさせる方向を左右方向とし、自動的なスクロールの最中にキー操作によって表示を移動させる方向を上下方向としたが、このような方向はこれらに限定されない。自動的にスクロールされる方向を上下方向とし、自動的なスクロールの最中にキー操作によって表示を移動させる方向を左右方向としても良い。
【００９２】
また、以上説明した本実施の形態において、左右方向についての自動的なスクロールの最中にキー操作によって縦方向に表示が移動される際、縦方向にＹＢだけ重なりを持つように、表示が移動されるが、必ずしも重なりを持たないように、たとえば、縦方向に隣接するように、表示が移動されても良い。
【００９３】
なお、重なりを持つように表示が移動される場合、重なる寸法であるＹＢの値は、予め定められていても良いし、ユーザによって適宜設定されても良い。図１０では、ＹＢの寸法は、「Ｙ１−Ｙ２」の長さよりも短いように示されているが、これに限定されない。
【００９４】
また、メインディスプレイ１５０に表示されるドキュメント２００が文字情報を含む場合、ＹＢは、縦方向に所定の文字が表示される分（たとえば１文字分等）というように、文字情報において文字の表示される大きさに応じて決定されても良い。なお、表示される文字の大きさは、たとえば、表示処理部１１１が、文字の表示される大きさを決定してドキュメントを表示させる場合であれば、当該表示処理部１１１自身が認識できることになる。
【００９５】
また、以上説明した本実施の形態では、携帯電話機１００は、メイン操作部１２０に備えられた機能キー１２２Ａ，１２２Ｂ等が操作されることにより、表示のスクロールがなされるように構成されているが、本発明に従った携帯情報機器はこのような構成に限定されず、タッチパネル式のディスプレイ等、他の操作手段が操作されることによって表示のスクロールを行なうように構成されても良い。
【００９６】
また、以上説明した本実施の形態では、携帯電話機１００は、その内部（プログラム記憶部１１８）に予め記憶されたプログラムに従って動作するように説明されたが、本発明に従った携帯情報機器はこれに限定されず、携帯電話機１００とは離間した場所に記憶されたプログラムを読み込めるよう構成され、当該読み込まれたプログラムに従って動作するように構成されても良い。
【００９７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９８】
【図１】本発明の一実施の形態である携帯電話機の、正面側の斜視図である。
【図２】図１の携帯電話機の背面側の斜視図である。
【図３】図１の携帯電話機の機能ブロック図である。
【図４】図１の携帯電話機における、メインディスプレイと、当該メインディスプレイに表示されるドキュメントとを模式的に示す図である。
【図５】図１の携帯電話機における、メインディスプレイにおける表示の自動的なスクロールについて説明するための図である。
【図６】図１の携帯電話機における、メインディスプレイにおける表示の自動的なスクロールについて説明するための図である。
【図７】図１の携帯電話機において、メインディスプレイにドキュメント記憶部に記憶されているドキュメントを表示させる際に実行される処理のフローチャートである。
【図８】図１の携帯電話機において、メインディスプレイにドキュメント記憶部に記憶されているドキュメントを表示させる際に実行される処理のフローチャートである。
【図９】図１の携帯電話機において自動的に表示がスクロールされる方向を説明するために、当該携帯電話機の正面側を示す図である。
【図１０】図１の携帯電話機において自動的に表示がスクロールされ、さらに、上方向に表示が移動される際の、ワークメモリ上に展開された画像の中から切り出される画像の位置の移動態様を説明するための図である。
【図１１】図１の携帯電話機において自動的に表示がスクロールされ、さらに、下方向に表示が移動される際の、ワークメモリ上に展開された画像の中から切り出される画像の位置の移動態様を説明するための図である。
【図１２】図１の携帯電話機のメインディスプレイの表示画面の一例を示す図である。
【図１３】図１の携帯電話機のメインディスプレイの表示画面の一例を示す図である。
【図１４】図１の携帯電話機のメインディスプレイの表示画面の一例を示す図である。
【図１５】図１の携帯電話機のメインディスプレイの表示画面の一例を示す図である。
【図１６】図１の携帯電話機のメインディスプレイの表示画面の一例を示す図である。
【図１７】図１の携帯電話機のメインディスプレイの表示画面の一例を示す図である。
【図１８】図１の携帯電話機のメインディスプレイの表示画面の一例を示す図である。
【符号の説明】
【００９９】
１００  携帯電話機、１０２  通信部、１０４  第１の筐体、１０６  第２の筐体、１０８  アンテナ、１１０  入力部、１１１  表示処理部、１１２  レイアウト解析部、１１３  スクロール処理部、１１４  拡大縮小処理部、１１５  ワークメモリ、１１６  ＶＲＡＭ、１１７  ドキュメント記憶部、１１８  プログラム記憶部、１２０  メイン操作部、１２１Ａ  上キー、１２１Ｂ  下キー、１２１Ｃ  左キー、１２１Ｄ  右キー、１２２  カーソル移動キー、１２４  １２キー、１３０  サブ操作部、１３０Ａ，１３０Ｃ  カーソルの移動キー、１３０Ｂ  決定キー、１４０  メインカメラ、１４２  サブカメラ、１５０  メインディスプレイ、１６０  サブディスプレイ、１７０  通信処理部、１７２  マイク、１７４  スピーカ、１７５  通話処理部、１７６  ＬＥＤ。
【図１】
2005266589.tif 000004
【図２】
2005266589.tif 000005
【図３】
2005266589.tif 000006
【図４】
2005266589.tif 000007
【図５】
2005266589.tif 000008
【図６】
2005266589.tif 000009
【図７】
2005266589.tif 000010
【図８】
2005266589.tif 000011
【図９】
2005266589.tif 000012
【図１０】
2005266589.tif 000013
【図１１】
2005266589.tif 000014
【図１２】
2005266589.tif 000015
【図１３】
2005266589.tif 000016
【図１４】
2005266589.tif 000017
【図１５】
2005266589.tif 000018
【図１６】
2005266589.tif 000019
【図１７】
2005266589.tif 000020
【図１８】
2005266589.tif 000021